(57)【要約】【課題】着用者の脚を動きによって前胴回り域における外装体の位置ずれを抑制できる吸収性物品を提供する。【解決手段】吸収性物品（１０）は、吸収性本体（４０）と、前胴回り域に配置された前側外装体（２０）と、を有する。吸収性本体は、吸収コア（５０）と、吸収コアよりも前側に延びる前端部（４５）と、を有する。吸収性本体の前端部には、第１シート材と第２シート材が厚さ方向に重なった重畳領域（ＯＲ）が設けられている。重畳領域の前端縁には、第１シート材が第２シート材に接合されていないシート非接合領域（ＮＳ）が設けられている。【選択図】図３
2019118470.tif 000002
【特許請求の範囲】
【請求項１】
前後方向と、
前記前後方向に直交する幅方向と、
前胴回り域と、
後胴回り域と、
前記前胴回り域と前記後胴回り域との間に配置された股下域と、
吸収コアを有し、かつ前記股下域、前記前胴回り域及び前記後胴回り域に跨がって配置された吸収性本体と、
前記吸収性本体と厚さ方向に重なり、前記前胴回り域に配置された前側外装体と、
前記吸収性本体と厚さ方向に重なり、前記前胴回り域に配置された後側外装体と、
前記前側外装体の前記幅方向の外側部と前記後側外装体の前記幅方向の外側部を接合するサイド接合部と、を有する吸収性物品であって、
前記前側外装体は、複数の外装シートを有し、
前記吸収性本体の前端縁よりも前側には、少なくとも２枚の前記外装シート同士が接合されていない外装非接合領域が設けられている、吸収性物品。
【請求項２】
前記外装非接合領域の少なくとも一部は、前記吸収コアと前記前後方向において重なって配置されている、請求項１に記載の吸収性物品。
【請求項３】
前記吸収性本体は、前記吸収コアの前記幅方向の全長を３等分した領域であって前記吸収コアの前記幅方向の中央に位置する中央領域を有し、
前記外装非接合領域は、前記中央領域と前記前後方向において重なって配置されている、請求項２に記載の吸収性物品。
【請求項４】
前記外装非接合領域は、前記吸収コアの前記幅方向の全域と前記前後方向において重なって配置されている、請求項２又は請求項３に記載の吸収性物品。
【請求項５】
前記外装シートは、前記吸収性本体の非肌対向面側に配置された外装非肌側シートと、前記吸収性本体の前端縁を覆い、かつ前記吸収性本体の肌対向面側に配置されたカバーシートと、を有し、
前記外装非接合領域は、前記カバーシートと前記外装非肌側シートの間に設けられている、請求項１から請求項４のいずれか１項に記載の吸収性物品。
【請求項６】
前記外装シートは、前記吸収性本体の非肌対向面側に配置された複数の外装非肌側シートを有し、
前記外装非接合領域は、前記外装非肌側シート同士の間に設けられている、請求項１から請求項４のいずれか１項に記載の吸収性物品。
【請求項７】
前記外装非接合領域よりも前側には、前記外装シート同士が接合された外装接合領域が設けられている、請求項１から請求項６のいずれか１項に記載の吸収性物品。
【請求項８】
前記外装接合領域の前記前後方向の長さは、前記外装非接合領域の前記前後方向の長さよりも長い、請求項７に記載の吸収性物品。
【請求項９】
前記吸収性本体は、前記吸収コアよりも前側に延びる前端部を有し、
前記外装シートは、前記吸収性本体の前端縁を覆い、かつ前記吸収性本体の肌対向面側に配置されたカバーシートを有し、
前記吸収性本体の前端部には、前記吸収性本体と前記カバーシートが接合されていないカバー非接合領域が設けられている、請求項１から請求項８のいずれか１項に記載の吸収性物品。
【請求項１０】
前記カバー非接合領域は、前記外装非接合領域と前記前後方向において連なっている、請求項９に記載の吸収性物品。
【請求項１１】
前記外装非接合領域の前記前後方向の長さは、前記カバー非接合領域の前記前後方向の長さよりも長い、請求項９又は請求項１０に記載の吸収性物品。
【請求項１２】
前記カバー非接合領域の前記前後方向の長さは、前記外装非接合領域の前記前後方向の長さよりも長い、請求項９又は請求項１０に記載の吸収性物品。
【請求項１３】
前記吸収性本体は、前記吸収コアよりも前側に延びる前端部を有し、
前記外装シートは、前記吸収性本体の非肌対向面側に配置された外装非肌側シートを有し、
前記吸収性本体の前端部には、前記吸収性本体と前記外装非肌側シートが接合されていない本体非接合領域が設けられている、請求項１から請求項１０のいずれか１項に記載の吸収性物品。
【請求項１４】
前記本体非接合領域は、前記外装非接合領域と前記前後方向において連なっている、請求項１３に記載の吸収性物品。
【請求項１５】
前記外装非接合領域の前記前後方向の長さは、前記本体非接合領域の前記前後方向の長さよりも長い、請求項１３又は請求項１４に記載の吸収性物品。
【請求項１６】
前記本体非接合領域の前記前後方向の長さは、前記外装非接合領域の前記前後方向の長さよりも長い、請求項１３又は請求項１４に記載の吸収性物品。
【請求項１７】
前記吸収性本体は、前記吸収コアよりも前側に延びる前端部を有し、
前記外装シートは、前記吸収性本体の非肌対向面側に配置された外装非肌側シートと、前記吸収性本体の前端縁を覆い、かつ前記吸収性本体の肌対向面側に配置されたカバーシートと、を有し、
前記吸収性本体の前端部には、前記吸収性本体と前記カバーシートが接合されていないカバー非接合領域と、前記吸収性本体と前記外装非肌側シートが接合されていない本体非接合領域と、が設けられており、
前記本体非接合領域の前記前後方向の長さは、前記カバー非接合領域の前記前後方向の長さよりも長い、請求項１から請求項１６のいずれか１項に記載の吸収性物品。
【発明の詳細な説明】
【技術分野】
【０００１】
本発明は、使い捨ておむつ等の吸収性物品に関する。
【背景技術】
【０００２】
特許文献１に記載された吸収性物品は、吸収性本体と、吸収性本体と厚さ方向に重なって配置された外装体と、を有し、外装体の幅方向の外側部同士が接合されたパンツ型の吸収性物品である。吸収性本体は、股下域を跨いで前後方向に延びており、着用者の脚によって挟まれる。
【先行技術文献】
【特許文献】
【０００３】
【特許文献１】特開２０１６−３４３４１号公報
【発明の概要】
【０００４】
このように構成された吸収性物品を着用した着用者が脚を前後に動かすと、吸収性本体も前後方向に移動し、吸収性本体の前端縁が前後方向の外側に向かって移動する。このとき、吸収性本体の前端縁が、外装体を巻き込むように外装体の非肌対向面側に移動してしまうことがある。吸収性本体の前端縁が外装体の非肌対向面側に移動した状態では、吸収性本体と着用者の間に外装体が挟まれている。当該状態において吸収性本体の前端縁が元の位置に戻るように前後方向の内側に向かって移動すると、吸収性本体と共に外装体が股下域側に向かって移動することがある。前胴回り域において外装体の位置がずれ、着用者の腹部を覆い続けることができないおそれがあった。
【０００５】
そこで、着用者の脚を動きによって前胴回り域における外装体の位置ずれを抑制でき、着用者の腹部を覆い続け易い吸収性物品が望まれる。
【課題を解決するための手段】
【０００６】
一態様に係る吸収性物品は、前後方向と、前記前後方向に直交する幅方向と、前胴回り域と、後胴回り域と、前記前胴回り域と前記後胴回り域との間に配置された股下域と、吸収コアを有し、かつ前記股下域、前記前胴回り域及び前記後胴回り域に跨がって配置された吸収性本体と、前記吸収性本体と厚さ方向に重なり、前記前胴回り域に配置された前側外装体と、前記吸収性本体と厚さ方向に重なり、前記前胴回り域に配置された後側外装体と、前記前側外装体の前記幅方向の外側部と前記後側外装体の前記幅方向の外側部を接合するサイド接合部と、を有する吸収性物品であって、前記前側外装体は、複数の外装シートを有し、前記吸収性本体の前端縁よりも前側には、少なくとも２枚の前記外装シート同士が接合されていない外装非接合領域が設けられている。
【図面の簡単な説明】
【０００７】
【図１】実施形態に係る吸収性物品の正面図である。
【図２】実施形態に係る吸収性物品の平面図である。
【図３】図２に示す吸収性物品のＡ−Ａ断面に沿った断面図である。
【図４】図２に示す吸収性物品のＢ−Ｂ断面に沿った断面図である。
【図５】実施形態に係る吸収性物品の装着状態の断面を模式的に示した図である。
【図６】比較例に係る吸収性物品の装着状態の断面を模式的に示した図である。
【発明を実施するための形態】
【０００８】
（１）実施形態の概要
本明細書及び添付図面の記載により、少なくとも以下の事項が明らかとなる。
一態様に係る吸収性物品は、前後方向と、前記前後方向に直交する幅方向と、前胴回り域と、後胴回り域と、前記前胴回り域と前記後胴回り域との間に配置された股下域と、吸収コアを有し、かつ前記股下域、前記前胴回り域及び前記後胴回り域に跨がって配置された吸収性本体と、前記吸収性本体と厚さ方向に重なり、前記前胴回り域に配置された前側外装体と、前記吸収性本体と厚さ方向に重なり、前記前胴回り域に配置された後側外装体と、前記前側外装体の前記幅方向の外側部と前記後側外装体の前記幅方向の外側部を接合するサイド接合部と、を有する吸収性物品であって、前記前側外装体は、複数の外装シートを有し、前記吸収性本体の前端縁よりも前側には、少なくとも２枚の前記外装シート同士が接合されていない外装非接合領域が設けられている。
【０００９】
吸収性本体の前端縁よりも前側に外装非接合領域が設けられているため、外装シート同士が全て接合されている構成と比較して、吸収性本体の前端縁よりも前側の剛性が低くなる。吸収性本体の前端縁が前後方向の外側に向かって移動した際に、外装非接合領域が変形して力を吸収し、吸収性本体の前端縁が外装体を巻き込むように外装体の非肌対向面側に移動することを抑制できる。よって、前胴回り域における外装体の位置ずれを抑制し、着用者の腹部を覆い続けることができる。
【００１０】
好ましい一態様によれば、外装非接合領域の少なくとも一部は、前記吸収コアと前記前後方向において重なって配置されている。
【００１１】
吸収コアと前後方向において重なって配置される領域は、吸収コアから前側に向かう力が掛かり易い。当該領域の少なくとも一部に外装非接合領域を設けることにより、吸収性本体の前端縁が前側に向かって移動した際に、外装非接合領域が変形して力を吸収し、前側外装体の位置ずれをより抑制できる。
【００１２】
好ましい一態様によれば、前記吸収コアの前記幅方向の全長を３等分した領域であって前記吸収コアの幅方向の中央に位置する中央領域を有し、前記外装非接合領域は、前記中央領域と前後方向において重なって配置されている。
【００１３】
着用者の脚によって吸収コアが挟まれた状態で着用者が前後方向に脚を動かすと、吸収コアの幅方向の中央に力が集中し易く、吸収コアの前端部の形状は、幅方向の中央が幅方向の側部よりも前側に突出し易い。よって、中央領域と前後方向において重なって配置される領域には、吸収コアから前側に向かう力がより掛かり易い。当該領域にシート非接合領域を設けることにより、吸収性本体の前端縁が前側に向かって移動した際に、外装非接合領域が変形して力を吸収し、前胴回り域における外装体の位置ずれをより抑制できる。
【００１４】
好ましい一態様によれば、前記外装非接合領域は、前記吸収コアの前記幅方向の全域と前記前後方向において重なって配置されている。
【００１５】
吸収コアの幅方向の全域と前後方向に重なって配置される領域に外装非接合領域を設けることにより、吸収性本体の前端縁が前側に向かって移動した際に、外装非接合領域が変形して力を吸収し、前胴回り域における外装体の位置ずれを抑制できる。
【００１６】
好ましい一態様によれば、前記外装シートは、前記吸収性本体の非肌対向面側に配置された外装非肌側シートと、前記吸収性本体の前端縁を覆い、かつ前記吸収性本体の肌対向面側に配置されたカバーシートと、を有し、前記外装非接合領域は、前記カバーシートと前記外装非肌側シートの間に設けられている。
【００１７】
外装非肌側シートとカバーシートは、厚さ方向において吸収性本体を挟んで配置されており、吸収性本体からの力をより受けやすい。外装非肌側シートとカバーシートの間に外装非接合領域を設けることにより、吸収性本体の前端縁が前側に向かって移動した際に、外装非接合領域が変形して力をより吸収し易くなり、外装体の位置ずれをより抑制できる。
【００１８】
好ましい一態様によれば、前記外装シートは、前記吸収性本体の非肌対向面側に配置された複数の外装非肌側シートを有し、  前記外装非接合領域は、前記外装非肌側シート同士の間に設けられている。
【００１９】
外装非肌側シート同士の間に外装非接合領域が設けられていることにより、吸収性本体の前端縁が前後方向の外側に向かって移動した際に、前側外装体が非肌対向面側にたくれるように変形して力を吸収できる。前側外装体によって吸収性本体からの力を吸収することにより、前側外装体の位置ずれを抑制できる。
【００２０】
好ましい一態様によれば、前記外装非接合領域よりも前側には、前記外装シート同士が接合された外装接合領域が設けられている。
【００２１】
外装接合領域は、外装シート同士が接合されており、外装非接合領域よりも剛性が高くなり易い。また、吸収性本体が配置された領域も、外装非接合領域よりも剛性が高くなり易い。外装非接合領域は、剛性が高い領域によって前後方向に挟まれており、吸収性本体の前端縁が前側に向かって移動した際により変形して力を吸収し易くなる。よって、前側外装体の位置ずれをより抑制できる。
【００２２】
好ましい一態様によれば、前記外装接合領域の前記前後方向の長さは、前記外装非接合領域の前記前後方向の長さよりも長い。
【００２３】
外装接合領域は、外装非接合領域よりも剛性が高く、前後方向の長さが短くなり難い。外装接合領域の前後方向の長さを比較的長く設けることにより、前側外装体によって腰回りを覆う領域を確保し易い。
【００２４】
好ましい一態様によれば、吸収性本体は、前記吸収コアよりも前側に延びる前端部を有し、前記外装シートは、前記吸収性本体の前端縁を覆い、かつ前記吸収性本体の肌対向面側に配置されたカバーシートを有し、前記吸収性本体の前端部には、前記吸収性本体と前記カバーシートが接合されていないカバー非接合領域が設けられている。
【００２５】
カバー非接合領域は、吸収性本体と外装体が接合された領域と比較して剛性が低い。カバー非接合領域が設けられていることにより、吸収性本体から外装体へ力が伝わり難くなり、吸収性本体の前端縁よりも前側の領域に伝わる力を低減できる。前側外装体の変形を抑制し、前側外装対によって腰回りを覆い続け易い。
【００２６】
好ましい一態様によれば、前記カバー非接合領域は、前記外装非接合領域と前記前後方向において連なっている。
【００２７】
カバー非接合領域と外装非接合領域が前後方向において連なっているため、吸収性本体の前端縁近傍に、吸収性本体からの力によって変形する領域を長く確保できる。前側外装体において吸収性本体からの力をより吸収し易くなり、前側外装体の位置ずれをより抑制できる。
【００２８】
好ましい一態様によれば、前記外装非接合領域の前記前後方向の長さは、前記カバー非接合領域の前記前後方向の長さよりも長い。
【００２９】
カバー非接合領域の前後方向の長さが外装非接合領域よりも長い構成と比較して、吸収性本体からの力によって変形する領域を前側外装体において確保でき、前側外装体の位置ずれをより抑制できる。
【００３０】
好ましい一態様によれば、前記カバー非接合領域の前記前後方向の長さは、前記外装非接合領域の前記前後方向の長さよりも長い。
【００３１】
外装非接合領域の前後方向の長さがカバー非接合領域よりも長い構成と比較して、吸収性本体からの力によって変形する領域をカバーシートにおいて確保でき、前側外装体の位置ずれをより抑制できる。
【００３２】
好ましい一態様によれば、吸収性本体は、前記吸収コアよりも前側に延びる前端部を有し、前記外装シートは、前記吸収性本体の非肌対向面側に配置された外装非肌側シートを有し、前記吸収性本体の前端部には、前記吸収性本体と前記外装非肌側シートが接合されていない本体非接合領域が設けられている。
【００３３】
本体非接合領域は、吸収性本体と外装非肌側シートが接合された領域と比較して剛性が低い。本体非接合領域が設けられていることにより、吸収性本体から外装体へ力が伝わり難くなり、吸収性本体の前端縁よりも前側の領域に伝わる力を低減できる。また、吸収性本体の非肌対向面側に本体非接合領域が設けられているため、前側外装体が非肌対向面側にたくれるように変形し易い。前側外装体によって吸収性本体からの力をより吸収でき、前側外装体の位置ずれを抑制できる。
【００３４】
好ましい一態様によれば、前記本体非接合領域は、前記外装非接合領域と前記前後方向において連なっている。
【００３５】
本体非接合領域と外装非接合領域が前後方向において連なっているため、吸収性本体の前端縁近傍に、吸収性本体からの力によって変形する領域を長く確保できる。前側外装体において吸収性本体からの力をより吸収し易くなり、前側外装体の位置ずれをより抑制できる。
【００３６】
好ましい一態様によれば、前記外装非接合領域の前記前後方向の長さは、前記本体非接合領域の前記前後方向の長さよりも長い。
【００３７】
本体非接合領域の前記前後方向の長さが外装非接合領域の長さよりも長い構成と比較して、前側外装体における吸収性本体からの力によって変形する領域を確保でき、前側外装体の位置ずれをより抑制できる。
【００３８】
好ましい一態様によれば、前記本体非接合領域の前記前後方向の長さは、前記外装非接合領域の前記前後方向の長さよりも長い。
【００３９】
本体非接合領域が吸収性本体の非肌対向面側に設けられているため、前側外装体が非肌対向面側にたくれるように変形し易い。前側外装体によって吸収性本体からの力をより吸収でき、前側外装体の位置ずれを抑制できる。
【００４０】
好ましい一態様によれば、吸収性本体は、前記吸収コアよりも前側に延びる前端部を有し、前記外装シートは、前記吸収性本体の非肌対向面側に配置された外装非肌側シートと、前記吸収性本体の前端縁を覆い、かつ前記吸収性本体の肌対向面側に配置されたカバーシートと、を有し、前記吸収性本体の前端部には、前記吸収性本体と前記カバーシートが接合されていないカバー非接合領域と、前記吸収性本体と前記外装非肌側シートが接合されていない本体非接合領域と、が設けられており、前記本体非接合領域の前記前後方向の長さは、前記カバー非接合領域の前記前後方向の長さよりも長い。
【００４１】
本体非接合領域は、吸収性本体の非肌対向面側に配置され、カバー非接合領域は、吸収性本体の肌対向面側に配置されている。本体非接合領域の前後方向の長さが比較的長いため、前側外装体が非肌対向面側にたくれるように変形し易い。前側外装体によって吸収性本体からの力をより吸収でき、前側外装体の位置ずれを抑制できる。
【００４２】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４３】
吸収性物品は、パンツ型であってもよい。吸収性物品は、使い捨ておむつであってもよいし、ショーツ型生理用ナプキンであってよい。第１実施形態の吸収性物品は、パンツ型の使い捨ておむつである。図１は、本実施形態に係る吸収性物品１０の模式正面図である。図２は、本実施形態に係る吸収性物品１０の模式平面図である。図２に示す模式平面図は、後述するサイド接合部６０を展開した状態において吸収性物品１０を皺が形成されない状態まで伸長させた伸長状態を示している。図３は、図２に示すＡ−Ａ線に沿った断面図であり、図４は、図２に示すＢ−Ｂ断面に沿った断面図である。
【００４４】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方の直交する厚さ方向Ｔを有する。
【００４５】
吸収性物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。
【００４６】
本実施形態では、吸収性物品１０は、外装体１５と、吸収性本体４０と、を有していてよい。外装体１５は、吸収性本体４０と厚さ方向に重なっている。外装体１５は、前側外装体２０と、後側外装体３０と、を有してよい。前側外装体２０は、前胴回り域Ｓ１において吸収性本体４０の非肌対向面側Ｔ２及び吸収性本体４０の肌対向面側Ｔ１に配置されている外装体である。後側外装体３０は、前側外装体２０と前後方向Ｌに離間し、かつ後胴回り域Ｓ２において吸収性本体４０の非肌対向面側Ｔ２に配置されている外装体である。
【００４７】
股下域Ｓ３は、後述する脚回り開口部７２（図１参照）が形成された領域である。前胴回り域Ｓ１の股下域側の境界は、脚回り開口部７２の前端縁であり、後胴回り域Ｓ２の股下域側の境界は、脚回り開口部７２の後端縁である。なお、他の実施形態において、外装体１５は、前側外装体２０及び後側外装体３０が一体化され、かつ前胴回り域Ｓ１から後胴回り域Ｓ２に亘って設けられていてもよい。
【００４８】
前側外装体２０及び後側外装体３０は、例えば不織布のようなシートから構成されていてよい。前側外装体２０は、複数の外装シートを有してよい。複数の外装シートは、吸収性本体４０の非肌対向面側Ｔ２に位置する外装非肌側シートと、吸収性本体４０の肌対向面側Ｔ１に位置するカバーシート２７と、を有してよい。外装非肌側シートは、第１外装非肌側シート２５と、第１外装非肌側シート２５の非肌対向面側Ｔ２に位置する第２外装非肌側シート２６と、を有してよい。カバーシート２７は、複数の外装非肌側シートの少なくとも一方が肌対向面側Ｔ１に折り返された部分によって構成されてもよいし、外装非肌側シートとは別体のシートによって構成されてもよい。後側外装体３０は、複数の外装シートを有してよい。
【００４９】
図１に示すように、幅方向Ｗにおける前胴回り域Ｓ１の外側部と、幅方向Ｗにおける後胴回り域Ｓ２の外側部と、を接合したサイド接合部６０が設けられていてよい。図２は、サイド接合部６０における接合を解除し、吸収性物品１０を展開した状態を示している。サイド接合部６０は、前側外装体２０及び後側外装体３０のそれぞれにおいて、前後方向Ｌに沿って延びていてよい。
【００５０】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００５１】
図１に示すように、サイド接合部６０が形成された状態で、吸収性物品１０には、着用者の胴が通される胴回り開口部７１と、着用者の脚がそれぞれ挿入される一対の脚回り開口部７２と、が形成される。胴回り開口部７１は、前胴回り域Ｓ１の前端縁Ｓ１Ｆである前側外装体の前端縁２０Ｆと、後胴回り域Ｓ２の後端縁Ｓ２Ｒである後側外装体３０の後端縁３０Ｒとによって規定されていてよい。また、脚回り開口部７２は、吸収性本体４０よりも幅方向Ｗの外側に延出した前側外装体２０の後端縁２０Ｒと、吸収性本体４０よりも幅方向Ｗの外側に延出した後側外装体３０の前端縁３０Ｆと、股下域Ｓ３における吸収性本体４０の外側縁４０Ｅと、によって規定されていてよい。
【００５２】
吸収性本体４０は、前側外装体２０と後側外装体３０を跨って配置されている。すなわち、吸収性本体４０は、前胴回り域Ｓ１、後胴回り域Ｓ２及び股下域Ｓ３にわたって延びている。吸収性本体４０は、前側外装体２０及び後側外装体３０とは別体として構成されていてよい。吸収性本体４０は、非肌対向面側Ｔ２に前側外装体２０又は後側外装体３０が配置された領域、外装体１５と厚さ方向Ｔに重なっていない領域、及び前側外装体２０とカバーシートによって厚さ方向に挟まれた領域を有してよい。
【００５３】
吸収性本体４０は、少なくとも吸収コア５０を含んでいる。吸収コア５０は、例えば粉砕パルプもしくは高吸収性ポリマー（ＳＡＰ）、又はこれらの混合物を含んでいてよい。吸収コア５０は、少なくとも股下域Ｓ３に配置されている。好ましくは、吸収コア５０は、前後方向Ｌにおいて、前胴回り域Ｓ１から後胴回り域Ｓ２にわたって延びていてよい。吸収コア５０は、コアラップによって覆われていてよい。
【００５４】
図２に示すように、吸収性本体４０は、吸収コア５０よりも前側に延びる前端部４５を有してよい。前端部４５は、前後方向Ｌにおいて吸収コア５０の前端縁５０Ｆと吸収性本体４０の前端縁４０Ｆの間の領域であり、幅方向Ｗにおいて吸収性本体４０の一方の外側縁４０Ｅから他方の外側縁４０Ｅまでの領域である。図３及び図４において、前端部４５の前後方向の範囲及び幅方向の範囲を示す。また、吸収性本体４０は、吸収コア５０の幅方向Ｗの中央に位置する中央領域ＣＲを有してよい。中央領域ＣＲは、吸収コア５０の幅方向Ｗの全長を３等分した領域のうち、幅方向Ｗの中央に位置する領域である。
【００５５】
図３及び図４に示すように、吸収性本体４０は、液不透過シート４１と、液不透過シート４１と厚さ方向Ｔに重なる本体シート４２と、を少なくとも有してよい。液不透過シート４１及び本体シート４２は、少なくとも前端部４５に配置されてよい。液不透過シート４１及び本体シート４２は、吸収コア５０と重なる領域と前端部４５とに跨がって配置されてもよい。液不透過シート４１は、吸収コア５０よりも非肌対向面側Ｔ２に配置されてよい。本体シート４２は、液不透過シート４１よりも肌対向面側Ｔ１、かつ吸収コア５０よりも肌対向面側Ｔ１に配置された第１本体シート４２Ａと、液不透過シート４１よりも非肌対向面側Ｔ２に配置された第２本体シート４２Ｂと、を有してよい。
【００５６】
本実施の形態の吸収性本体４０の前端部４５では、肌対向面側Ｔ１から非肌対向面側Ｔ２に向かって、第１本体シート４２Ａ、液不透過シート４１、第２本体シート４２Ｂの順で配置されている。本実施の形態の吸収コア５０と重なった領域では、肌対向面側Ｔ１から非肌対向面側Ｔ２に向かって、第１本体シート４２Ａ、吸収コア５０、液不透過シート４１、第２本体シート４２Ｂの順で配置されている。第１本体シート４２Ａと液不透過シート４１は、厚さ方向Ｔにおいて吸収コア５０を挟んで配置されてよい。
【００５７】
液不透過シート４１は、透不液性であればよく、例えば、フィルムによって構成されてよい。液不透過シート４１は、１枚のシートから構成されていてもよい。この代わりに、液不透過シート４１は、複数枚のシートが互いに積層された積層シートから構成されていてもよい。この場合、複数枚のシートのうちの少なくとも１枚が透不液性を有していてよい。
【００５８】
本体シート４２は、透液性であればよく、例えば不織布によって構成されていてよい。本体シート４２は、１枚のシートから構成されていてもよい。この代わりに、本体シート４２は、複数枚のシートが互いに積層された積層シートから構成されていてもよい。
【００５９】
このように構成された吸収性物品は、接合領域と非接合領域を有する。接合領域は、外装体１５と吸収性本体４０が接合された領域、吸収性本体４０の液不透過シート４１及び本体シート４２が接合された領域、及び外装体の外装シートが接合された領域を含む。非接合領域は、外装体１５と吸収性本体４０が接合されていない領域、吸収性本体４０の液不透過シート４１及び本体シート４２が接合されていない領域、及び外装体の外装シートが接合されていない領域を含む。なお、本発明における非接合領域は、接着剤が塗布されていない領域のみならず、接着剤が僅かに塗布されているが、当該接着剤を介して部材同士が接着されていない領域も含むものである。
【００６０】
図３及び４に示すように、吸収性物品１０は、少なくとも２枚の外装シート同士が接合されていない外装非接合領域ＮＥを有してよい。外装非接合領域ＮＥは、外装シートを構成する第１外装非肌側シート２５、第２外装非肌側シート２６及びカバーシート２７のうち、２枚の外装シート同士が接合されていない領域である。外装非接合領域ＮＥは、吸収性本体４０の前端縁４０Ｆよりも前側に設けられてよい。
【００６１】
このように構成された吸収性物品１０によれば、着用者の脚を動きによって前胴回り域Ｓ１における外装体１５の位置ずれを抑制できる。図５及び図６は、吸収性物品の装着状態の断面を模式的に示した図であり、着用者の腹部及び吸収性物品の前胴回り域を模式的に示している。図５及び図６に示す一点鎖線は、着用者の身体のラインを示している。図５は、実施の形態に係る吸収性物品の装着状態を示しており、図６は、比較例に係る吸収性物品の装着状態を示している。図５（Ａ）及び図６（Ａ）は、変形前の状態を示しており、図５（Ｂ）及び図６（Ｂ）は、脚を前後に動かした変形状態を示している。
【００６２】
図６に示すように、比較例に係る吸収性物品１００の吸収性本体４０よりも前側には、外装非接合領域ＮＥが設けられていない。比較例に係る吸収性物品１００は、吸収性本体４０の前端縁よりも前側において外装シート同士が接合された接合領域Ｒ１０１を有する。このように構成された吸収性物品１００を着用した着用者が脚を前後に動かすと、吸収性本体４０も前後方向に移動し、吸収性本体４０の前端縁４０Ｆが前側に向かって移動する。このとき、吸収性本体の前端縁が、前側外装体２０を巻き込むように前側外装体２０の非肌対向面側Ｔ２に移動してしまうことがある。吸収性本体４０の前端縁４０Ｆが前側外装体２０の非肌対向面側Ｔ２に移動した状態では、吸収性本体４０と着用者の間に前側外装体２０が挟まれている。当該状態において吸収性本体の前端縁が元の位置に戻るように後側に向かって移動すると、吸収性本体と共に外装体が股下域側に向かって移動し易い。これにより、前胴回り域において外装体の位置がずれ、着用者の腹部を覆い続けることができないことがある。
【００６３】
図５に示すように、実施の形態に係る吸収性物品１０の吸収性本体４０よりも前側には、外装非接合領域ＮＥが設けられている。実施形態に係る吸収性物品１０は、吸収性本体の前端縁よりも前側に外装非接合領域が設けられているため、全ての外装シート同士が接合されている構成と比較して、吸収性本体の前端縁よりも前側の剛性が低くなる。吸収性本体の前端縁が前後方向の外側に向かって移動した際に、外装非接合領域が変形して力を吸収し、吸収性本体の前端縁が外装体を巻き込むように外装体の非肌対向面側に移動することを抑制できる。よって、吸収性本体と共に外装体が股下域側に向かって移動し難くなる。前胴回り域における外装体の位置ずれを抑制し、着用者の腹部を覆い続けることができる。
【００６４】
外装非接合領域ＮＥは、前側外装体２０の一部に設けられていてもよいし、前側外装体２０の全域に設けられてもよい。外装非接合領域ＮＥの前端縁は、前側外装体２０の前端縁２０Ｆに一致してよいし、吸収性本体４０の前端縁４０Ｆよりも後側に位置してもよい。外装非接合領域ＮＥの後端縁は、吸収性本体４０の前端縁４０Ｆよりも前側に位置してよいし、吸収性本体４０の前端縁４０Ｆよりも後側に位置してよいし、吸収性本体４０の前端縁４０Ｆに一致してもよい。外装非接合領域ＮＥの外側縁は、吸収性本体４０の外側縁４０Ｅに一致してもよいし、吸収性本体４０の外側縁４０Ｅよりも幅方向Ｗの外側に位置してもよい。
【００６５】
好適には、外装非接合領域ＮＥの少なくとも一部は、吸収コア５０と前後方向Ｌにおいて重なって配置されてよい。吸収コア５０と前後方向Ｌにおいて重なって配置される領域は、吸収コア５０から前側に向かう力が掛かり易い。当該領域の少なくとも一部に外装非接合領域ＮＥを設けることにより、吸収性本体４０の前端縁４０Ｆが前側に向かって移動した際に、外装非接合領域ＮＥが変形して力を吸収し、前側外装体２０の位置ずれをより抑制できる。
【００６６】
より好適には、外装非接合領域ＮＥは、中央領域ＣＲと前後方向Ｌにおいて重なって配置されていてよい。着用者の脚によって吸収コア５０が挟まれた状態で着用者が前後方向に脚を動かすと、吸収コア５０の幅方向Ｗの中央に力が集中し易く、吸収コア５０の前端部４５の形状は、幅方向Ｗの中央が幅方向Ｗの側部よりも前側に突出し易い。よって、中央領域ＣＲと前後方向Ｌにおいて重なって配置されている領域には、吸収コア５０から前側に向かう力がより掛かり易い。当該領域に外装非接合領域ＮＥを設けることにより、吸収性本体４０の前端縁４０Ｆが前側に向かって移動した際に、外装非接合領域ＮＥが変形して力を吸収し、前胴回り域Ｓ１における外装体の位置ずれをより抑制できる。
【００６７】
より好適には、外装非接合領域ＮＥは、吸収コア５０の幅方向Ｗの全域と前後方向において重なって配置されていてよい。吸収コア５０の幅方向Ｗと前後方向に重なって配置される領域に外装非接合領域ＮＥを設けることにより、吸収性本体４０の前端縁４０Ｆが前側に向かって移動した際に、外装非接合領域ＮＥが変形して力を吸収し、前胴回り域Ｓ１における外装体の位置ずれを抑制できる。
【００６８】
外装非接合領域ＮＥは、カバーシート２７と外装非肌側シートの間に設けられてよい。外装非肌側シートとカバーシートは、厚さ方向において吸収性本体を挟んで配置されており、吸収性本体からの力をより受けやすい。外装非肌側シートとカバーシートの間に外装非接合領域を設けることにより、吸収性本体の前端縁が前側に向かって移動した際に、外装非接合領域が変形して力をより吸収し易くなり、外装体の位置ずれをより抑制できる。
【００６９】
外装非接合領域ＮＥは、外装非肌側シート同士の間、すなわち、第１外装非肌側シート２５と第２外装非肌側シート２６の間に設けられてもよい。外装非肌側シート同士の間に外装非接合領域が設けられていることにより、吸収性本体の前端縁が前後方向の外側に向かって移動した際に、前側外装体が非肌対向面側にたくれるように変形して力を吸収できる。前側外装体によって吸収性本体からの力を吸収することにより、前側外装体の位置ずれを抑制できる。
【００７０】
外装非接合領域ＮＥよりも前側には、外装シート同士が接合された外装接合領域ＡＥが設けられてよい。外装シート接合領域は、カバーシート２７が外装非肌側シートに接合された領域と、外装非肌側シート同士が接合された領域と、を含んでよい。外装接合領域は、外装シート同士が接合されており、外装非接合領域よりも剛性が高くなり易い。また、吸収性本体４０が配置された領域も、外装非接合領域よりも剛性が高くなり易い。外装非接合領域は、剛性が高い領域によって前後方向に挟まれており、吸収性本体４０の前端縁４０Ｆが前側に向かって移動した際により変形して力を吸収し易くなる。よって、前側外装体２０の位置ずれをより抑制できる。
【００７１】
外装接合領域ＡＥの前後方向Ｌの長さは、外装非接合領域ＮＥの前後方向Ｌの長さよりも長くてよい。外装接合領域ＡＥは、外装非接合領域ＮＥよりも剛性が高く、前後方向Ｌの長さが短くなり難い。外装接合領域ＡＥの前後方向Ｌの長さを比較的長く設けることにより、前側外装体２０によって腰回りを覆う領域を確保し易い。
【００７２】
吸収性物品１０は、吸収性本体４０とカバーシート２７が接合されていないカバー非接合領域ＮＣと、吸収性本体４０とカバーシート２７が接合されたカバー接合領域ＡＣと、を有してよい。カバー非接合領域ＮＣは、吸収性本体４０を構成するシートのうち、カバーシート２７と対向して配置されたシートと、カバーシート２７と、が接合されていない領域であってよい。カバー接合領域ＡＣは、吸収性本体４０を構成するシートのうち、カバーシート２７と対向して配置されたシートと、カバーシート２７と、が接合された領域であってよい。カバー非接合領域ＮＣは、カバーシート２７と吸収性本体４０が接合された領域と比較して剛性が低くなり、変形し易い領域である。
【００７３】
カバー非接合領域ＮＣは、吸収性本体４０の前端部４５に設けられていてよい。カバー非接合領域ＮＣは、吸収性本体４０と外装体１５が接合された領域と比較して剛性が低い。カバー非接合領域ＮＣが設けられていることにより、吸収性本体４０から外装体１５へ力が伝わり難くなり、吸収性本体４０の前端縁４０Ｆよりも前側の領域に伝わる力を低減できる。よって、前側外装体２０の位置ずれをより抑制できる。
【００７４】
カバー非接合領域ＮＣは、外装非接合領域ＮＥと前後方向Ｌにおいて連なってよい。カバー非接合領域ＮＣと外装非接合領域ＮＥは、厚さ方向においてずれていてもよく、前後方向において連なっていればよい。カバー非接合領域と外装非接合領域が前後方向において連なっていることにより、吸収性本体の前端縁近傍に、吸収性本体からの力によって変形する領域を長く確保できる。前側外装体において吸収性本体からの力をより吸収し易くなり、前側外装体の位置ずれをより抑制できる。
【００７５】
外装非接合領域ＮＥの前後方向の長さは、カバー非接合領域ＮＣの前後方向の長さよりも長くてよい。カバー非接合領域の前後方向の長さが外装非接合領域よりも長い構成と比較して、吸収性本体からの力によって変形する領域を前側外装体において確保でき、前側外装体の位置ずれをより抑制できる。
【００７６】
また、他の形態において、カバー非接合領域の前後方向の長さは、外装非接合領域の前後方向の長さよりも長くてもよい。外装非接合領域の前後方向の長さがカバー非接合領域よりも長い構成と比較して、吸収性本体からの力によって変形する領域をカバーシートにおいて確保でき、前側外装体の位置ずれをより抑制できる。
【００７７】
吸収性物品１０は、吸収性本体４０と外装非肌側シートが接合されていない本体非接合領域ＮＢを有してよい。本体非接合領域ＮＢは、吸収性本体４０を構成するシートのうち、外装非肌側シートと対向して配置されたシートと、外装非肌側シートと、が接合されていない領域であってよい。具体的には、吸収性本体４０の非肌対向面の全面に第２本体シート４２Ｂが配置された形態にあっては、第２本体シート４２Ｂと外装非肌側シートが接合されていない領域であってよい。吸収性本体４０の非肌対向面に第２本体シート４２Ｂ及び液不透過シート４１が配置された形態にあっては、第２本体シート４２Ｂと外装非肌側シートが接合されていない領域と、液不透過シート４１と外装非肌側シートが接合されていない領域と、を含んでよい。本体非接合領域ＮＢの少なくとも一部は、前端部４５に設けられていてよい。本体非接合領域ＮＢは、前端部４５の全域に設けられてもよいし、前端部４５の一部に設けられていてもよい。
【００７８】
本体非接合領域ＮＢは、吸収性本体と外装非肌側シートが接合された領域と比較して剛性が低い。本体非接合領域が設けられていることにより、吸収性本体から外装体へ力が伝わり難くなり、吸収性本体の前端縁よりも前側の領域に伝わる力を低減できる。また、吸収性本体の非肌対向面側に本体非接合領域が設けられているため、前側外装体が非肌対向面側にたくれるように変形し易い。前側外装体によって吸収性本体からの力をより吸収でき、前側外装体の位置ずれを抑制できる。
【００７９】
本体非接合領域ＮＢは、外装非接合領域ＮＥと前後方向において連なってよい。カバー非接合領域ＮＣと外装非接合領域ＮＥは、厚さ方向においてずれていてよく、前後方向において連なっていればよい。本体非接合領域ＮＢと外装非接合領域ＮＥが前後方向において連なっていることにより、吸収性本体の前端縁近傍に、吸収性本体からの力によって変形する領域を長く確保できる。前側外装体において吸収性本体からの力をより吸収し易くなり、前側外装体の位置ずれをより抑制できる。
【００８０】
外装非接合領域ＮＥの前後方向Ｌの長さは、本体非接合領域ＮＢの前後方向Ｌの長さよりも長くてよい。本体非接合領域ＮＢの前後方向Ｌの長さが外装非接合領域ＮＥの長さよりも長い構成と比較して、吸収性本体４０からの力によって変形する領域を前側外装体２０において確保できる。よって、前側外装体２０の位置ずれをより抑制できる。
【００８１】
また、他の形態において、本体非接合領域ＮＢの前後方向Ｌの長さは、外装非接合領域ＮＥの前後方向Ｌの長さよりも長くてもよい。本体非接合領域ＮＢが吸収性本体４０の非肌対向面側Ｔ２に設けられているため、前側外装体２０が非肌対向面側Ｔ２にたくれるように変形し易い。前側外装体２０によって吸収性本体４０からの力をより吸収でき、前側外装体２０の位置ずれを抑制できる。
【００８２】
本体非接合領域ＮＢの前後方向Ｌの長さは、カバー非接合領域ＮＣの前後方向Ｌの長さよりも長くてよい。本体非接合領域ＮＢは、吸収性本体４０の非肌対向面側Ｔ２に配置され、カバー非接合領域ＮＣは、吸収性本体４０の肌対向面側Ｔ１に配置されている。本体非接合領域ＮＢの前後方向Ｌの長さが比較的長いため、前側外装体２０が非肌対向面側にたくれるように変形し易い。前側外装体によって吸収性本体からの力をより吸収でき、前側外装体の位置ずれを抑制できる。
【００８３】
吸収性物品１０は、液不透過シート４１と本体シート４２が接合されていないシート非接合領域ＮＳを有してよい。シート非接合領域ＮＳの少なくとも一部は、前端部４５に設けられていてよい。シート非接合領域ＮＳは、前端部４５の全域に設けられてもよいし、前端部４５の一部に設けられていてもよい。
【００８４】
吸収性物品１０は、シート非接合領域ＮＳと本体非接合領域ＮＢとが重なる重複領域ＤＲを有してよい。重複領域ＤＲは、シート非接合領域ＮＳと本体非接合領域ＮＢとが厚さ方向Ｔに重なる領域である。重複領域ＤＲの少なくとも一部は、前端部４５に設けられていてよい。重複領域ＤＲは、前端部４５の全域に設けられてもよいし、前端部４５の一部に設けられていてもよい。
【００８５】
また、吸収性本体４０の前端部４５に重複領域ＤＲが設けられているため、吸収コア５０から前側に移動する力がかかった際に重複領域ＤＲがより変形し易い。吸収性本体４０の前端部４５が変形することにより、吸収性本体４０の前端縁４０Ｆよりも前側の領域に伝わる力を低減でき、前側外装体２０の位置ずれを抑制し、着用者の腹部を覆い続けることができる。
【００８６】
シート非接合領域ＮＳの前端縁及び本体非接合領域ＮＢの前端縁は、吸収性本体４０の前端縁４０Ｆに一致してよいし、吸収性本体４０の前端縁４０Ｆよりも後側に位置してもよい。シート非接合領域ＮＳの後端縁及び本体非接合領域ＮＢの後端縁は、吸収コア５０の前端縁５０Ｆよりも前側に位置してよいし、吸収コア５０の前端縁５０Ｆよりも後側に位置してよいし、吸収コア５０の前端縁５０Ｆに一致してもよい。シート非接合領域ＮＳの外側縁及び本体非接合領域ＮＢの外側縁は、吸収性本体４０の外側縁４０Ｅに一致してもよいし、吸収性本体４０の外側縁４０Ｅよりも幅方向Ｗの内側に位置してもよい。好適には、本体非接合領域ＮＢ及びシート非接合領域ＮＳは、吸収性本体４０の前端縁に設けられてよい。吸収性本体４０の前端縁には、本体非接合領域ＮＢとシート非接合領域ＮＳの両方が設けられているため、より変形し易くなる。吸収コア５０による変形を吸収性本体４０の前端縁によって吸収し、吸収性本体４０の前端縁４０Ｆよりも前側の領域に伝わる力を低減でき、前側外装体２０の位置ずれを抑制し、着用者の腹部を覆い続けることができる。
【００８７】
吸収性物品１０は、シート非接合領域ＮＳよりも股下域側において液不透過シート４１と本体シート４２が接合されたシート接合領域ＡＳを有してよい。シート接合領域ＡＳは、前後方向においてシート非接合領域ＮＳに隣接している。シート接合領域ＡＳは、シート非接合領域ＮＳにおいて接合されていないシート同士を接合する領域である。
【００８８】
厚さ方向において吸収コア５０を挟み、かつ吸収コア５０と前端部４５を跨ぐシート間に、シート非接合領域ＮＳが設けられている形態にあっては、シート非接合領域ＮＳの股下域側の内端縁、すなわち、シート接合領域ＡＳの前端縁は、吸収コア５０よりも前側に配置されてよい。シート非接合領域ＮＳの股下域側の内端縁は、吸収コア５０よりも前側に配置されてよい。シート非接合領域ＮＳの股下域側の内端縁が吸収コア５０よりも前側に位置するため、吸収コア５０よりも前側にシート接合領域ＡＳが設けられる。液不透過シート４１と本体シートが接合された領域によって吸収コア５０を構成する吸収材料が吸収性本体４０外へ漏れることを抑制できる。
【００８９】
シート非接合領域ＮＳは、液不透過シート４１が第１本体シート４２Ａに接合されていない領域、液不透過シート４１が第２本体シート４２Ｂに接合されていない領域、及び液不透過シート４１が第１本体シート４２Ａ及び第２本体シート４２Ｂに接合されていない領域のいずれかであってよい。好適には、シート非接合領域ＮＳでは、液不透過シート４１は、第１本体シート４２Ａに接合されていなく、かつ第２本体シート４２Ｂに接合されてなくてよい。液不透過シート４１が第１本体シート及び第２本体シートに接合されていないため、液不透過シート４１がより変形し易くなる。よって、吸収性本体４０の前端部４５がより変形し易くなり、吸収性本体４０の前端縁４０Ｆよりも前側の領域に伝わる力を低減でき、前側外装体２０の位置ずれを抑制し、着用者の腹部を覆い続けることができる。
【００９０】
シート非接合領域ＮＳと本体非接合領域ＮＢの前後方向の位置関係は、限定されない。シート非接合領域ＮＳの前端縁は、本体非接合領域ＮＢの前端縁よりも前側であってもよいし、本体非接合領域ＮＢの前端縁よりも後側であってもよい。シート非接合領域ＮＳの後端縁は、本体非接合領域ＮＢの後端縁よりも前側であってもよいし、本体非接合領域ＮＢの後端縁よりも後側であってもよい。好適には、シート非接合領域ＮＳは、本体非接合領域ＮＢよりも股下域側に延出してよい。液不透過シート４１は、液透過シートと比較して剛性が高いものが多く、シート非接合領域ＮＳは、本体非接合領域ＮＢよりも剛性を低くする効果を得やすい。シート非接合領域ＮＳが本体非接合領域ＮＢよりも股下域側に延出していることにより、吸収性本体４０の変形によって吸収コア５０の変形を吸収する効果をより得易い。
【００９１】
シート非接合領域ＮＳと本体非接合領域ＮＢの幅方向Ｗの位置関係は、限定されない。シート非接合領域ＮＳの外端縁は、本体非接合領域ＮＢの外側縁よりも外側であってもよいし、本体非接合領域ＮＢの外側縁よりも内側であってもよい。好適には、シート非接合領域ＮＳは、本体非接合領域ＮＢよりも幅方向Ｗの外側に延出してよい。
【００９２】
シート非接合領域ＮＳは、カバー非接合領域ＮＣの少なくとも一部に厚さ方向に重なって配置されてよい。吸収性本体４０の前端部４５は、カバーシート２７に接合されてなく、カバーシート２７に対して移動し易い。着用者の肌側に位置するカバーシート２７が肌に密着し、カバーシート２７が変形し難い場合であっても、吸収性本体４０の前端部４５が変形し易く、外装体１５が浮き上がる変形を抑制し、前胴回り域及び後胴回り域における外装体１５の位置ずれを抑制できる。
【００９３】
また、カバー接合領域ＡＣは、シート非接合領域ＮＳの一部に厚さ方向に重なって配置されてよい。シート非接合領域ＮＳとカバー接合領域ＡＣが重なった領域とシート非接合領域ＮＳとカバー接合領域ＡＣが重なっていない領域と、が設けられてよい。シート非接合領域ＮＳとカバー接合領域ＡＣが重なった領域とシート非接合領域ＮＳとカバー接合領域ＡＣが重なっていない領域と、は、剛性が異なる。当該２つの領域によって吸収コア５０から力を受けた際に段階的に変形し、吸収コア５０から受けた力をより吸収し易い。よって、吸収性本体４０から前側に向かう力を前側外装体２０により伝わり難くでき、前側外装体２０の位置ずれを抑制できる。
【００９４】
カバー接合領域ＡＣは、シート接合領域ＡＳに厚さ方向Ｔに重なって配置されてよい。カバー接合領域ＡＣとシート接合領域ＡＳが重なっている領域は、カバー接合領域ＡＣとシート非接合領域ＮＳが重なっている領域やカバー非接合領域ＮＣとシート非接合領域ＮＳが重なっている領域と比較して剛性が高い。当該剛性の高い領域がシート非接合領域ＮＳよりも股下域側に設けられているため、吸収コア５０から前後方向の外側に向かう力を当該剛性の高い領域を介してシート材及びカバーシート２７に分散できる。シート材及びカバーシート２７の両方で吸収コア５０から受けた力をより吸収し易い。よって、吸収性本体４０から前側に向かう力を前側外装体２０により伝わり難くでき、前側外装体２０の位置ずれを抑制できる。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００９６】
着用者の脚を動きによって前胴回り域における外装体の位置ずれを抑制できる吸収性物品を提供することができる。
【符号の説明】
【００９７】
１０    吸収性物品
１５    外装体
２０    前側外装体
２５    第１外装非肌側シート（外装シート）
２６    第２外装非肌側シート（外装シート）
２７    カバーシート（外装シート）
３０    後側外装体
４０    吸収性本体
４１      ：液不透過シート
４２Ａ    ：第１本体シート（本体シート）
４２Ｂ    ：第２本体シート（本体シート）
５０    吸収コア
６０    サイド接合部
ＡＣ      カバー接合領域
ＡＥ      外装接合領域
ＡＳ      シート接合領域
ＤＲ      重複領域
ＮＢ      本体非接合領域
ＮＣ      カバー非接合領域
ＮＥ      外装非接合領域
ＮＳ      シート非接合領域
Ｓ１    前胴回り域
Ｓ２    後胴回り域
Ｓ３    股下域
Ｌ      前後方向
Ｗ      幅方向
【図１】
2019118470.tif 000003
【図２】
2019118470.tif 000004
【図３】
2019118470.tif 000005
【図４】
2019118470.tif 000006
【図５】
2019118470.tif 000007
【図６】
2019118470.tif 000008